(57)【要約】【課題】  前面パネル１と背面パネル２との間の間隔が比較的大きい場合にも当該間隔を所定値に保持すると共に、当該密閉空間の気密を維持することができる画像表示装置を提供する。【解決手段】  背面パネル１と前面パネル２と外枠３とを備え、外枠３を分割した複数の壁部材３Ｘ１，３Ｘ２，３Ｙ１，３Ｙ２，３Ｃ１乃至３Ｃ４で構成すると共に、隣接する壁部材の互いに係合する少なくとも一部のそれぞれに斜面３Ｐを形成し、斜面３Ｐの法線と背面パネル１または前面パネル２の法線の交差角度を鋭角とした。【選択図】  図１
2006221945.tif 000002
【特許請求の範囲】
【請求項１】
前面パネルと、背面パネルと、外枠とを備え、前記前面パネル，前記背面パネル及び前記外枠が接合材により固定され、前記前面パネル、前記背面パネル及び前記外枠で囲まれた内部の密閉空間が外部より低圧である画像表示装置であって、
前記外枠は、少なくても１個の壁部材により構成されているとともに、少なくとも一部の隣接する前記壁部材の互いに係合する部分のそれぞれに少なくとも一部分の端面を有し、前記端面の法線と前記前面パネルまたは前記背面パネルの法線の交差角度が直角面または斜面であり、
前記互いに係合する端面同士は、間に前記接合材を介して固定されていることを特徴とする画像表示装置。
【請求項２】
前記互いに係合する端面同士の間から前記接合材が食み出していることを特徴とする請求項１に記載の画像表示装置。
【請求項３】
前記密閉空間が真空であること特徴とする請求項１または請求項２に記載の画像表示装置。
【請求項４】
前記壁部材が前記前面パネルまたは前記背面パネルと同じ素材であること特徴とする請求項１乃至請求項３の何れかに記載の画像表示装置。
【請求項５】
前記壁部材がガラス材であること特徴とする請求項１乃至請求項４の何れかに記載の画像表示装置。
【請求項６】
前記接合材がフリットガラスであること特徴とする請求項１乃至請求項５の何れかに記載の画像表示装置。
【請求項７】
前記背面パネルに電界放出素子を有すること特徴とする請求項１乃至請求項６の何れかに記載の画像表示装置。
【請求項８】
前記前面パネルと前記背面パネルとの間の間隙が１ｍｍ以上であること特徴とする請求項１乃至請求項７の何れかに記載の画像表示装置。
【請求項９】
前記壁部材はその両端に前記直角面を有するとともに、前記両端の直角面のうちの一方は前記壁部材の端面の方を向いた面であり、前記両端の直角面のうちの他方は前記壁部材の端面の方を向いた直角面であることを特徴とする請求項１乃至請求項８の何れかに記載の画像表示装置。
【請求項１０】
前記壁部材はその両端に前記斜面を有するとともに、前記両端の前記斜面のうちの一方は前記前面パネルの方を向いた斜面であり、前記両端の斜面のうちの他方は前記背面パネルの方を向いた斜面であることを特徴とする請求項１乃至請求項８の何れかに記載の画像表示装置。
【請求項１１】
前記壁部材はその両端に前記斜面を有するとともに、前記両端の斜面は両方とも前記前面パネルの方を向いた斜面であるか、または、前記両端の斜面は両方とも前記背面パネルの方を向いた斜面であることを特徴とする請求項１乃至請求項８の何れかに記載の画像表示装置。
【請求項１２】
前記互いに係合する直角面または斜面部同士は、少なくとも一部が互いに噛み合う凹凸を有することを特徴とする請求項１乃至請求項１０の何れかに記載の画像表示装置。
【請求項１３】
前記壁部材はその断面が円形であることを特徴とする請求項１乃至請求項８の何れかに記載の画像表示装置。
【請求項１４】
前記壁部材はその断面が楕円形であることを特徴とする請求項１乃至請求項８の何れかに記載の画像表示装置。
【請求項１５】
前記壁部材はその断面が卵形であることを特徴とする請求項１乃至請求項８の何れかに記載の画像表示装置。
【請求項１６】
前記壁部材はその断面が２個の平面と２個の円弧であることを特徴とする請求項１乃至請求項８の何れかに記載の画像表示装置。
【請求項１７】
前記壁部材はその断面が少なくとも１個の円弧を有することを特徴とする請求項１乃至請求項８の何れかに記載の画像表示装置。
【発明の詳細な説明】
【技術分野】
【０００１】
本発明は、画像表示装置に係り、特に内部の密閉空間を外部より低圧に気密保持された平面パネル型の画像表示装置に関し、詳細には外枠の構造に関するものである。
【背景技術】
【０００２】
高輝度、高精細に優れたディスプレイデバイスとして従来からカラー陰極線管が広く用いられている。しかし、近年の情報処理装置やテレビ放送の高画質化に伴い、高輝度、高精細の特性をもつと共に軽量、省スペースの平板状ディスプレイ（パネルディスプレイ）の要求が高まっている。
【０００３】
その典型例として液晶表示装置、プラズマ表示装置などが実用化されている。また、特に、高輝度化が可能なものとして電界放出型ディスプレイ（以下、ＦＥＤとも称する）や低消費電力を特徴とする有機ＥＬディスプレイ等の種々の型式のパネル型表示装置の実用化も近い。
【０００４】
このようなパネル型表示装置のうち、前面パネルと背面パネルの二枚のパネル間の密閉空間を外界の気圧より低圧または真空とした画像表示装置では、二枚のパネル間の間隙を所定値に保持すると共に、当該密閉空間の気密を維持する必要がある。二枚のパネルの対向間隙に密閉空間を形成するには、両パネルの周縁内壁に間隔保持部材（スペーサまたは隔壁とも称する）を介挿する必要がある。
【０００５】
この間隔保持部材は接着材（フリットガラスなど）をディスペンサによる塗布または多重印刷等により塗布することで得られる。しかし、両パネルの間の間隔が大きい場合は、このような手段での間隔保持部材は、接着材の流れや変形等が生じるために所望の間隙を保持することが難しく、また多重印刷法では時間がかかる。
【０００６】
例えば、両基板の間隔が大きいＦＥＤでは、パネル材料としてガラス板を用い、これらのガラス板（前面パネルと背面パネル）の間に形成する密閉空間の間隙は１ｍｍ前後、またはそれ以上である。これら前面パネルおよび背面パネルを必要な厚さのガラス材からなる外枠を接着材で固定することにより、上述した間隙を形成している。
【０００７】
図９は、この種のパネル型画像表示装置の一例としての電界放出型表示装置（ＦＥＤ）の構成例を説明する模式断面図である。この電界放出型表示装置は、背面パネル１と前面パネル２との周縁内壁を外枠３で固定し、この外枠で囲まれた内部を低圧あるいは真空の密閉空間としている。外枠３の厚みは約３〜１０ｍｍ、高さは約１〜５ｍｍ程度であり、接着材４で背面パネル１と前面パネル２とに固定される。
【０００８】
背面パネル１の内面には、カソード電極５，絶縁層６及び格子電極７が形成され、前面パネル２の内面には、アノード電極８と蛍光体９とが形成されている。カソード電極５と蛍光体９との対で１画素が構成され、カラー表示の場合は、異なる色（一般に、赤、緑、青）の光を放出する隣接する３個の異なる蛍光体のグループで１カラー画素を構成する。なお、各画素の間には絶縁材の隔壁１０が設置されている。
【０００９】
この型式のＦＥＤは、カソード電極５から放出される電子ビームを格子電極７に印加される画像情報で制御してアノード電極８に積層した蛍光体９に射突させて所定の色を発色させる。
【００１０】
図１０は、図９における背面パネル，前面パネルおよび外枠の従来の構成例を模式的に説明する展開斜視図である。背面パネル１と前面パネル２との間に設ける外枠３は、一体の枠状であり、背面パネル１および前面パネル２の内面に対向する外枠３の各面にフリットガラスを好適とする接着材３ａ及び接着材３ｂを印刷等の手段により塗布し介在させて固定し、内部空間を低圧または真空の密閉空間としている。
【００１１】
なお、この種の画像表示装置を開示した従来文献としては、下記特許文献１及び特許文献２等を挙げることができる。
【００１２】
【特許文献１】特開２０００−２１３３５号公報
【特許文献２】特開平８−２２７８２号公報
【発明の開示】
【発明が解決しようとする課題】
【００１３】
上記従来技術において、二枚のパネルガラス板を外枠を用いて接着固定する構造では、画像表示装置が大型化した場合に、取り扱い時に破損し易く、また、その材料取りに無駄が生じて、結果として高価になってしまう。
【００１４】
これを回避するために、外枠を複数の部材に分割して組み合わせ接着することも考えられるが、接着後の各分割部材の接合部分がリークし易く、気密保持が困難になる。これを解消することが当該技術分野における課題の一つとなっていた。
【００１５】
本発明の目的は、上記従来技術の課題を解決し、二枚のパネルガラス板の間隔が比較的大きい場合にも当該間隔を所定値に保持すると共に、当該密閉空間の気密を維持することを可能とした画像表示装置を提供することにある。
【課題を解決するための手段】
【００１６】
上記目的を達成するために、本発明による画像表示装置は、前面パネルと、背面パネルと、外枠とを備え、前面パネル，背面パネル及び外枠が接合材により固定され、前面パネル，背面パネル及び外枠で囲まれた内部の密閉空間が外部より低圧である画像表示装置であって、この外枠は、複数の壁部材により構成されているとともに、少なくとも一部の隣接する壁部材の互いに係合する部分のそれぞれに少なくとも一部分の接合面の端部を有し、この端部が斜面の法線と前面パネルまたは背面パネルの法線との交差角度が鋭角であり、互いに係合する端部同士は、その間に接合材を介して固定されていることを特徴とする。
【００１７】
また、本発明による他の画像表示装置は、好ましくは、上記構成において、端部が前面パネルまたは背面パネルと直角面であり、互いに係合する端部同士は接合材を介して固定されていることを特徴とする。
【００１８】
この構成としたことにより、封着の工程において、外枠の互いに係合する端部に接合材を塗り、前面パネル及び背面パネルの方向から圧力をかけ、高温に加熱して接合材を溶解させた場合、斜面端部の法線と前面パネルまたは背面パネルの法線との交差角度が鋭角であることから、端部同士に圧力がかかった状態となり、間にある接合材が全体に広がり易くなるため、確実にシールすることができ、内部圧力のリークがし難くなり、密閉空間の気密が維持できる。
【００１９】
また、密閉空間を外部雰囲気よりも低圧または真空とした場合、係合する斜面同士がそれぞれ背面パネルと前面パネル側とから圧力を受けるため、当該係合部分にリークがし難くなり、密閉空間の気密が維持される。
【００２０】
さらに、互いに係合する斜面部同士の間から接合材がはみ出すようにした方が、さらにリークし難くなり、好ましい。
【００２１】
また、低圧の密閉空間は真空であっても良い。
【００２２】
そして、壁部材は前面パネルまたは背面パネルと同じ素材であることが好ましく、壁部材はガラス材であることが好ましく、接合材はフリットガラスであることが好ましい。
【００２３】
本発明は、背面パネルに電界放出素子を形成して前面パネルと背面パネルとの間の間隙が１ｍｍ以上であるＦＥＤに適用して特に有効である。
【００２４】
また、前記壁部材はその両端に斜面を有するとともに、両端の斜面のうちの一方は前面パネルの方を向いた斜面であり、両端の斜面のうちの他方は背面パネルの方を向いた斜面とするのが好ましい。
【００２５】
なお、壁部材はその両端に斜面を有するとともに、両端の斜面は両方とも前面パネルの方を向いた斜面であるか、または両端の斜面は両方とも背面パネルの方を向いた斜面としても良い。
【００２６】
互いに係合する斜面部同士は、少なくとも一部に互いに噛み合う凹凸を有するようにしても良い。
【００２７】
なお、本発明は、上述の構成及び後述する実施例の構成に限定されるものではなく、本発明の技術思想を逸脱することなく種々の変更が可能であることは言うまでもない。
【発明の効果】
【００２８】
本発明によれば、封着の工程において、外枠の互いに係合する斜面部に接合材を塗り、前面パネル及び背面パネルの方向から圧力をかけ、高温に加熱して接合材を溶解させた場合、斜面の法線と前面パネルまたは背面パネルの法線の交差角度が鋭角であることから、斜面部同士に圧力がかかった状態となり、間にある接合材が全体に広がりやすくなるために確実にシールすることができ、内部圧力のリークがし難くなり、密閉空間の気密が維持できるという極めて優れた効果が得られる。
【００２９】
また、密閉空間を外部雰囲気よりも低圧または真空とした場合、上記係合する斜面同士がそれぞれ背面パネルと前面パネル側から圧力を受けるため、当該係合部分にリークがし難くなり、密閉空間の気密が維持されるという極めて優れた効果が得られる。
【００３０】
また、外枠を複数の壁部材で構成するものであるため、材料取りに無駄がなく、全体として安価な画像表示装置を得ることができるという極めて優れた効果を有する。
【発明を実施するための最良の形態】
【００３１】
以下、本発明の実施の形態につき、実施例の図面を参照して詳細に説明する。なお、ここでは本発明をＦＥＤに適用したものについて説明するが、他の同様の画像表示装置あるいは類似する機器にも同様に適用できるものである。
【実施例１】
【００３２】
図１は、本発明による画像表示装置の実施例１の構成を説明する説明図であり、図１（ａ）は背面パネルと前面パネルと外枠との構成例を模式的に説明する展開斜視図、図１（ｂ）及び図１（ｃ）は外枠に形成した接合面の形状説明図である。
【００３３】
この画像表示装置では、背面パネル１及び前面パネル２はガラス板、外枠３はガラス材でそれぞれ構成されている。なお、ここでは、背面パネル１および前面パネル２の各内面に形成する各種の構成部分は図示を省略してある。
【００３４】
図１において、背面パネル１と前面パネル２との外周内縁部に所定の厚みを有する外枠３を介在させ、接着材により一定の間隙をもって固定して内部に密閉空間を形成してある。同図（ａ）に示したように外枠３は、複数の壁部材３Ｘ１，３Ｘ２，３Ｙ１，３Ｙ２，３Ｃ１乃至３Ｃ４に分割してある。
【００３５】
各壁部材３Ｘ１，３Ｘ２，３Ｙ１，３Ｙ２，３Ｃ１乃至３Ｃ４が互いに隣接して係合する部分のそれぞれに斜面３Ｐが形成されている。そして、同図１（ｂ）に示したように斜面３Ｐに立てた法線Ａ−Ａと、背面パネル１または前面パネル２に立てた法線Ｂ−Ｂとの交差角度θを鋭角にしてある。図１（ｃ）には、法線Ａ−Ａと背面パネル２に立てた法線Ｂ−Ｂの交差角度θとをゼロにしてある。
【００３６】
図２は、図１における外枠の平面および二つの側面を示す３面図であり、図２（ａ）は平面図、図２（ｂ）は短辺側側面図、図２（ｃ）は長辺側側面図を示す。図中の符号は図１と同一部分に対応する。
【００３７】
図２に示したように本実施例の外枠３は、二つの長辺壁部材３Ｘ１，３Ｘ２と、二つの短辺壁部材３Ｙ１，３Ｙ２と、四つのコーナー壁部材３Ｃ１，３Ｃ２，３Ｃ３，３Ｃ４とにそれぞれ分割されている。
【００３８】
分割する箇所は左右対称または上下対称である必要はない。例えば、真空引きするために外枠に排気管を設ける場合には、この排気管の設置位置との兼ね合いで位置選定すればよい。
【００３９】
これら各壁部材の隣接する壁部材との係合部には、前記図１の（ｂ）及び図１（ｃ）で説明した角度をもつ斜面３Ｐが形成れている。これら係合する斜面３Ｐの間はフリットガラスが介在されて接着固定される。
【００４０】
図３は、本実施例における外枠３を構成するコーナー壁部材３Ｃの詳細構成を説明する３面図であり、図３（ａ）は平面図、図３（ｂ）は短辺側側面図、図３（ｃ）は長辺側側面図を示す。図中の符号は図１と同一部分に対応する。
【００４１】
言うまでもなく、この外枠３は、背面パネル１と前面パネル２とに対して上記と同様のフリットガラスで接着されて背面パネル１と前面パネル２と外枠３とが一体となって封着され、内部に密閉空間が形成される。
【００４２】
図示しないが、この密閉空間は、画像表示装置の製造工程で低圧または真空処理されている。
【００４３】
本実施例により、封着の工程において、外枠３の互いに係合する斜面３Ｐ部に接合材を塗り、前面パネル２及び背面パネル１の方向から圧力をかけ、高温に加熱して接合材を溶解させた場合、この斜面３Ｐの法線と前面パネル２または背面パネル１の法線との交差角度が鋭角であることから、斜面３Ｐ部同士に圧力がかかった状態となり、間にある接合材が全体に広がり易くなるため、確実にシールすることができ、内部圧力のリークがし難くなり、密閉空間の気密が維持できる。
【００４４】
なお、これに対して外枠３の互いに係合する部分が斜面３Ｐ部を持たず、前面パネル２及び背面パネル１と垂直である場合には、間に接合材を塗った場合に前面パネル２及び背面パネル１の方向から圧力をかけても接合部及び間の接合材には圧力がかからないため、良好に全体に広がらず、接合部に隙間ができる可能性があるため、外枠３の接合は、事前に実施するか、または接合面を加圧接着する必要がある。
【００４５】
また、密閉空間を外部雰囲気よりも低圧または真空とした場合、係合する斜面同士がそれぞれ背面パネル１側と前面パネル２側とから圧力を受けるため、係合部分にリークがし難くなり、密閉空間の気密が維持される。
【００４６】
また、外枠３を複数の壁部材で構成するものであるため、材料取りに無駄がなく、全体として安価な画像表示装置を得ることができる。
【実施例２】
【００４７】
図４は、本発明による画像表示装置の実施例２の構成を説明する説明図である。本実施例では、図１の実施例１に示したものと同様の外枠３を二つの長辺壁部材３Ｘ１と長辺壁部材３Ｘ２とに分割したものである。
【００４８】
分割する箇所は短辺の中央部分であるが、この部分は短辺の中心である必要はなく、また左右対称である必要もない。例えば、真空引きするために外枠３に排気管を設ける場合には、この排気管の設置位置との兼ね合いで位置選定すればよい。
【００４９】
各壁部材３Ｘ１と壁部材３Ｘ２との隣接して互いに係合する部分のそれぞれに斜面３Ｐを形成してある。これらの斜面３Ｐに立てた法線と背面パネル１または前面パネル２に立てた法線との交差角度θはゼロ乃至鋭角である。
【００５０】
これら係合する斜面の間にはフリットガラスが介在されて接着固定される。外枠３は背面パネル１と前面パネル２とに対して上記と同様のフリットガラスで接着され、背面パネル１と前面パネル２と外枠３とが一体となって内部に密閉空間が形成される。
【００５１】
この密閉空間は、画像表示装置の製造工程で低圧もしくは真空処理されることも第１実施例と同様である。
【００５２】
本実施例により、封着の工程において、外枠３の互いに係合する斜面３Ｐ部に接合材を塗り、前面パネル２及び背面パネル１の方向から圧力をかけ、高温に加熱して接合材を溶解させた場合、前記斜面３Ｐの法線と前面パネル２または背面パネル１の法線との交差角度が鋭角であることから、斜面３Ｐ部同士に圧力がかかった状態となり、間にある接合材が全体に広がり易くなるため、確実にシールすることができ、内部圧力のリークがし難くなり、密閉空間の気密が維持できる。
【００５３】
なお、これに対して外枠３の互いに係合する部分が斜面３Ｐ部を持たず、前面パネル２及び背面パネル１と垂直である場合には、間に接合材を塗った場合に前面パネル２及び背面パネル１の方向から圧力をかけても接合部及び間の接合材には圧力がかからないため、良好に全体に広がらず、接合部に隙間ができる可能性があるため、リークし易くなってしまう。
【００５４】
また、密閉空間を外部雰囲気よりも低圧または真空とした場合、係合する斜面３Ｐ同士がそれぞれ背面パネル１側と前面パネル２側とから圧力を受けるため、当該係合部分にリークがし難くなり、密閉空間の気密が維持される。
【００５５】
また、外枠３を複数の壁部材で構成するものであるため、材料取りに無駄がなく、全体として安価な画像表示装置を得ることができる。
【００５６】
なお、本実施例では、外枠３を短辺側で分割した例で説明しているが、長辺側を分割しても何ら問題はない。
【実施例３】
【００５７】
図５は、本発明による画像表示装置の実施例３の構成を説明する説明図である。本実施例では、図１および図４で説明したものと同様の外枠３を四つのコーナー部で分割し、長辺側壁部材３Ｘ１と長辺側壁部材３Ｘ２及び短辺側壁部材３Ｙ１と短辺側壁部材３Ｙ２とに分割したものである。
【００５８】
各長辺側壁部材３Ｘ１，３Ｘ２と、短辺側壁部材３Ｙ１，３Ｙ２とに隣接して互いに係合する部分のそれぞれに斜面３Ｐを形成してある。この斜面３Ｐに立てた法線と背面パネル１または前面パネル２に立てた法線との交差角度は鋭角である。
【００５９】
これらの係合する斜面の間にはフリットガラスが介在されて接着固定される。外枠３は背面パネル１と前面パネル２とに対して上記と同様のフリットガラスで接着され、背面パネル１と前面パネル２と外枠３とが一体となって内部に密閉空間が形成される。
【００６０】
この密閉空間は、画像表示装置の製造工程で低圧もしくは真空処理されることも実施例１及び実施例２と同様である。
【００６１】
本実施例により、封着の工程において、外枠の互いに係合する斜面部に接合材を塗り、前面パネル及び背面パネルの方向から圧力をかけ、高温に加熱して接合材を溶解させた場合、斜面の法線と前面パネル２または背面パネル１の法線との交差角度が鋭角であることから、斜面３Ｐ部同士に圧力がかかった状態となり、間にある接合材が全体に広がり易くなるため、確実にシールすることができ、内部圧力のリークがし難くなり、密閉空間の気密が維持できる。
【００６２】
なお、これに対して外枠３の互いに係合する部分が斜面３Ｐ部を持たず、前面パネル２及び背面パネル１と垂直である場合には、間に接合材を塗った場合に前面パネル２及び背面パネル１の方向から圧力をかけても接合部及び間の接合材には圧力がかからないため、良好に全体に広がらず、接合部に隙間ができる可能性があるため、接合面を事前接着するか、加圧接着が必要になる。
【００６３】
また、密閉空間を外部雰囲気よりも低圧または真空とした場合、係合する斜面３Ｐ同士がそれぞれ背面パネル１側と前面パネル２側とから圧力を受けるため、係合部分にリークがし難くなり、密閉空間の気密が維持される。
【００６４】
また、外枠３を複数の壁部材で構成するものであるため、材料取りに無駄がなく、全体として安価な画像表示装置を得ることができる。
【実施例４】
【００６５】
図６は、本発明による画像表示装置の実施例４の構成を説明する説明図である。また、図７は本発明の実施例４における外枠の平面および二つの側面を示す３面図であり、図７（ａ）は平面図、図７（ｂ）は短辺側側面図、図７（ｃ）は長辺側側面図をそれぞれ示す。
【００６６】
本実施例では、外枠３を図１の実施例１と同様に複数の壁部材３Ｘ１，３Ｘ２，３Ｙ１，３Ｙ２，３Ｃ１乃至３Ｃ４に分割してある。実施例１との違いは、壁部材の両端に設けられた斜面３Ｐの向いている方向にある。
【００６７】
実施例１においては、図１（ａ）に示すように壁部材３Ｘ１，３Ｘ２，３Ｙ１，３Ｙ２はそれぞれその両端に斜面３Ｐを有しており、両端の斜面３Ｐは両方とも背面パネル１の方を向いた斜面である。なお、斜面３Ｐが背面パネル１の方を向いているとは、斜面の表面が前面パネル２の方ではなく背面パネル１の方に対向していることを意味する。
【００６８】
また、これらに係合する壁部材３Ｃ１乃至３Ｃ４も同様にそれぞれその両端面に斜面３Ｐを有しており、両端の斜面３Ｐは両方とも前面パネル２の方を向いた斜面である。すなわち、各壁部材の両端に形成された斜面３Ｐは、両方とも同じ方向を向いた斜面となっている。この場合、背面パネル１及び前面パネル２の間に力が加わった場合、壁部材３Ｃ２は壁部材３Ｘ２及び壁部材３Ｙ１から枠の斜め外側方向へ押し出すような力を受ける場合がある。
【００６９】
一方、本実施例においては、図７に示すように壁部材３Ｘ１，３Ｘ２，３Ｙ１，３Ｙ２，３Ｃ１乃至３Ｃ４はそれぞれその両端に斜面３Ｐを有している点は同じであるが、両端の斜面のうちの一方は前面パネル２の方を向いた斜面であり、両端の斜面のうちの他方は背面パネル１の方を向いた斜面となっている。例えば、壁部材３Ｘ２について見ると、壁部材３Ｃ２と係合する側の端部における壁部材３Ｘ２の斜面３Ｐは背面パネル１の方を向いた斜面となっている。
【００７０】
一方、その反対側の壁部材３Ｃ４と係合する側の端部における壁部材３Ｘ２の斜面３Ｐは前面パネル２の方を向いた斜面となっている。他の壁部材についても同様である。このように壁部材の両端の斜面がそれぞれ逆方向を向いた斜面となっている場合、背面パネル１及び前面パネル２の間に力が加わった場合、各壁部材にかかる力は枠を周回する方向にかかるようになる。これにより、壁部材を枠の外側方向に押し出す力が弱くなる。
【００７１】
これ以外の点については、これまで説明してきた各実施例と同様であるので、重複説明は省略する。なお、本実施例では実施例１の斜面の方向を異ならせた実施例で説明したが、実施例２及び実施例３に適用しても良い。この場合も、壁部材の両端の斜面の方向を逆方向にすれば良い。
【実施例５】
【００７２】
図８は、本発明による画像表示装置の実施例５の構成を説明する説明図である。本実施例では、これまでに説明した各実施例の斜面３Ｐの係合部分に適用可能な壁部材の斜面３Ｐの形状の変形例を説明する。
【００７３】
図８は、外枠３に用いられる壁部材３Ｚ１、３Ｚ２の係合部分の形状を拡大し、図２（ｂ）及び図２（ｃ）のように側面から見た要部拡大図である。壁部材３Ｚ１，３Ｚ２は、これまでの各実施例と同様の斜面３Ｐを有する。そして、互いに係合する斜面部同士は、少なくとも一部に互いにかみ合う凹凸を有する形状となっている。これにより、背面パネル１及び前面パネル２から力が加わった場合でも壁部材３Ｚ１，３Ｚ２が図の左右方向にずれてしまう可能性を小さくすることができる。
【００７４】
以上のように各実施例に基づいて本発明の説明をしてきたが、本発明はこれらの実施例に限定されるものではなく、本発明の技術思想を逸脱しない範囲で様々な変形が可能である。例えば、外枠の分割数及び分割箇所等は上述した各実施例に限るものではなく、画像表示装置のサイズに応じて任意に選ぶことができ、また、隣接して係合する部分の全てに斜面を形成することなく、長辺あるいは短辺の各サイズを勘案してリークの恐れのある部分にのみ上記斜面を形成してもよく、他の部分は突き合わせまたは段差を形成して係合させてもよい。
【００７５】
すなわち、係合部が複数ある場合に全ての係合部に本発明を適用せず、その一部の係合部にのみ本発明を適用しても良く、また、一の係合部の中においても、全体を本発明のような斜面にする場合だけでなく、一部のみを本発明のような斜面とし、他の部分を別の形状としても良い。
【図面の簡単な説明】
【００７６】
【図１】本発明による画像表示装置の実施例１の説明図であり、図１（ａ）は背面パネルと前面パネルと外枠との構成例を模式的に説明する展開斜視図、図１（ｂ）及び図１（ｃ）は外枠に形成した斜面の形状説明図である。
【図２】本発明の実施例１における外枠の平面及び二つの側面を示す３面図であり、図２（ａ）は平面図、図２（ｂ）は短辺側側面図、図２（ｃ）は長辺側側面図である。
【図３】本発明の実施例１における外枠を構成するコーナー壁部材の詳細構成を説明する３面図であり、図３（ａ）は平面図、図３（ｂ）は短辺側側面図、図３（ｃ）は長辺側側面図である。
【図４】本発明による画像表示装置の実施例２の構成を説明する展開斜視図である。
【図５】本発明による画像表示装置の実施例３の構成を説明する展開斜視図である。
【図６】本発明による画像表示装置の実施例４の構成を説明する展開斜視図である。
【図７】本発明の実施例４における外枠の平面および二つの側面を示す３面図であり、図７（ａ）は平面図、図７（ｂ）は短辺側側面図、図７（ｃ）は長辺側側面図である。
【図８】本発明による画像表示装置の実施例５の構成を説明する係合部の要部断面図である。
【図９】パネル型画像表示装置の一例としての電界放出型表示装置（ＦＥＤ）の構成例を示す模式断面図である。
【図１０】図９における背面パネルと前面パネルと外枠との従来の構成例を模式的に説明する展開斜視図である。
【符号の説明】
【００７７】
１・・・背面パネル、２・・・前面パネル、３・・・外枠、３Ｘ１・・・壁部材、３Ｘ２・・・壁部材、３Ｙ１・・・壁部材、３Ｙ２・・・壁部材、３Ｃ１・・・壁部材、３Ｃ２・・・壁部材、３Ｃ３・・・壁部材、３Ｃ４・・・壁部材、３Ｐ・・・斜面、３ａ・・・接着材、３ｂ・・・接着剤、４・・・接着材、５・・・カソード電極、６・・・絶縁層、７・・・格子電極、８・・・アノード電極、９・・・蛍光体、１０・・・隔壁。
【図１】
2006221945.tif 000003
【図２】
2006221945.tif 000004
【図３】
2006221945.tif 000005
【図４】
2006221945.tif 000006
【図５】
2006221945.tif 000007
【図６】
2006221945.tif 000008
【図７】
2006221945.tif 000009
【図８】
2006221945.tif 000010
【図９】
2006221945.tif 000011
【図１０】
2006221945.tif 000012